(57)【要約】第１のワイヤレスボディエリアネットワーク（ＷＢＡＮ）のハブにおける方法は、一実施形態によるものである。この第１のＷＢＡＮは、ハブと、少なくとも１つのセンサノードとを含む。ハブは、第１の周波数チャネル上で少なくとも１つのセンサノードとワイヤレス通信するように構成され、方法は、第１の周波数チャネル上で動作する第２のＷＢＡＮの保持指数を受信することと、ここにおいて、保持指数がそれぞれのＷＢＡＮの動作特性の尺度であり、第２のＷＢＡＮの保持指数を第１のＷＢＡＮの保持指数と比較することと、第１のＷＢＡＮの保持指数が第２のＷＢＡＮの保持指数よりも小さい場合、第１のＷＢＡＮのワイヤレス通信挙動を変更することとを備える。【選択図】図１Ａ
2017526269.tif 000002
【特許請求の範囲】
【請求項１】
第１のワイヤレスボディエリアネットワーク（ＷＢＡＮ）のハブにおける方法であって、前記第１のＷＢＡＮが前記ハブと少なくとも１つのセンサノードとを備え、前記ハブが第１の周波数チャネル上で前記少なくとも１つのセンサノードとワイヤレス通信するように構成され、方法が、
前記第１の周波数チャネル上で動作する第２のＷＢＡＮの保持指数を受信することと、ここにおいて、保持指数がそれぞれのＷＢＡＮの動作特性の尺度である、
前記第２のＷＢＡＮの前記保持指数を前記第１のＷＢＡＮの保持指数と比較することと、
前記第１のＷＢＡＮの前記保持指数が前記第２のＷＢＡＮの前記保持指数よりも小さい場合、前記第１のＷＢＡＮのワイヤレス通信挙動を変更することと
を備える方法。
【請求項２】
前記保持指数が、Ｎと
【数１】
2017526269.tif 000016
のうちの少なくとも１つの関数であり、ここにおいて、Ｎが前記それぞれのＷＢＡＮのセンサノードの数であり、
【数２】
2017526269.tif 000017
が前記それぞれのＷＢＡＮのデューティサイクルの尺度である、請求項１に記載の方法。
【請求項３】
前記保持指数が、以下の定義
【数３】
2017526269.tif 000018
のうちの少なくとも１つに従うものであり、ここにおいて、ｋが、性能低下に比例する定数を示す、請求項２に記載の方法。
【請求項４】
前記第１のＷＢＡＮの前記保持指数を計算すること
をさらに備える、請求項１に記載の方法。
【請求項５】
協調要求を前記第２のＷＢＡＮのハブに送ることと、
前記第２のＷＢＡＮの前記ハブから協調応答を受信することと
をさらに備える、請求項１に記載の方法。
【請求項６】
前記第１のＷＢＡＮおよび前記第２のＷＢＡＮが前記第１の周波数チャネル上での共存に適しているかどうかを決定すること
をさらに備える、請求項１に記載の方法。
【請求項７】
前記第１のＷＢＡＮおよび前記第２のＷＢＡＮが周期的スーパーフレーム構造によりワイヤレス通信し、前記第１のＷＢＡＮおよび前記第２のＷＢＡＮが共存に適しているかどうかを決定することが、
前記第１のＷＢＡＮのスーパーフレームの非アクティブ期間が少なくとも前記第２のＷＢＡＮのスーパーフレームの動作期間と同じ長さであるかどうかを評価することと、
前記第２のＷＢＡＮの前記スーパーフレームの非アクティブ期間が少なくとも前記第１のＷＢＡＮの前記スーパーフレームの動作期間と同じ長さであるかどうかを評価することと
を備え、
ここにおいて、前記動作期間が前記それぞれのＷＢＡＮのアクティブ期間を備える、請求項６に記載の方法。
【請求項８】
前記第１のＷＢＡＮおよび前記第２のＷＢＡＮが周期的スーパーフレーム構造によりワイヤレス通信し、前記第１のＷＢＡＮおよび前記第２のＷＢＡＮが共存に適しているとき、前記第１のＷＢＡＮの前記ワイヤレス通信挙動を変更することが、前記第１のＷＢＡＮのスーパーフレームのパラメータを変更することを備える、請求項７に記載の方法。
【請求項９】
前記第１のＷＢＡＮおよび前記第２のＷＢＡＮが共存に適していないとき、前記第１のＷＢＡＮの前記ワイヤレス通信挙動を変更することが、
第２の周波数チャネルに切り換えること
を備える、請求項６に記載の方法。
【請求項１０】
前記第１のＷＢＡＮの前記スーパーフレームのパラメータを変更することが、
前記第１のＷＢＡＮの前記スーパーフレームの前記アクティブ期間が、前記第１のＷＢＡＮの前記スーパーフレームの前記動作期間が前記第２のＷＢＡＮの前記スーパーフレームの前記非アクティブ期間と一致し、前記第２のＷＢＡＮの前記スーパーフレームの前記動作期間が前記第１のＷＢＡＮの前記スーパーフレームの前記非アクティブ期間と一致するように適合されること
を備える、請求項８に記載の方法。
【請求項１１】
前記ワイヤレス通信挙動が正常に変更されたことを検証すること
をさらに備える、請求項１に記載の方法。
【請求項１２】
ワイヤレスボディエリアネットワークＷＢＡＮのためのハブであって、第１の周波数チャネル上で少なくとも１つのセンサノードとワイヤレス通信するように動作可能であり、
前記第１の周波数チャネル上で動作するさらなるＷＢＡＮの保持指数を受信するように動作可能であるアンテナと、ここにおいて、保持指数が前記それぞれのＷＢＡＮの動作特性の尺度である、
前記さらなるＷＢＡＮの前記保持指数を前記ＷＢＡＮの保持指数と比較し、前記ＷＢＡＮの前記保持指数が前記さらなるＷＢＡＮの前記保持指数よりも小さいとき、前記ＷＢＡＮのワイヤレス通信挙動を変更するように動作可能であるプロセッサと
を備えるハブ。
【請求項１３】
前記保持指数が、Ｎと、
【数４】
2017526269.tif 000019
のうちの少なくとも１つの関数であり、ここにおいて、Ｎが前記それぞれのＷＢＡＮのセンサノードの数であり、
【数５】
2017526269.tif 000020
が前記それぞれのＷＢＡＮのデューティサイクルの尺度である、請求項１２に記載のハブ。
【請求項１４】
前記保持指数が、以下の定義。
【数６】
2017526269.tif 000021
のうちの少なくとも１つに従うものであり、ここにおいて、ｋが、性能低下に比例する定数を示す、請求項１２に記載のハブ。
【請求項１５】
前記プロセッサが、前記ＷＢＡＮの前記保持指数を計算するように動作可能である、請求項１２に記載のハブ。
【請求項１６】
前記ＷＢＡＮおよび前記さらなるＷＢＡＮが周期的スーパーフレーム構造によりワイヤレス通信し、前記プロセッサが、
前記ＷＢＡＮのスーパーフレームの非アクティブ期間が少なくとも前記さらなるＷＢＡＮのスーパーフレームの動作期間と同じ長さであるかどうかを評価すること、および
前記さらなるＷＢＡＮの前記スーパーフレームの非アクティブ期間が少なくとも前記ＷＢＡＮの前記スーパーフレームの動作期間と同じ長さであるかどうかを評価すること
によって、前記ＷＢＡＮおよび前記さらなるＷＢＡＮが共存に適しているかどうかを決定するように動作可能であり、
ここにおいて、前記動作期間が前記それぞれのワイヤレスネットワークのアクティブ期間を備える、請求項１２に記載のハブ。
【請求項１７】
前記ＷＢＡＮおよび前記さらなるＷＢＡＮが共存に適しているとき、前記ＷＢＡＮの前記ワイヤレス通信挙動を変更するために、前記プロセッサが、
前記ＷＢＡＮの前記スーパーフレームのパラメータを変更する
ように動作可能である、請求項１６に記載のハブ。
【請求項１８】
前記ＷＢＡＮの前記スーパーフレームのパラメータを変更するために、前記プロセッサが、
前記ＷＢＡＮの前記スーパーフレームの前記動作期間が前記さらなるＷＢＡＮの前記スーパーフレームの前記非アクティブ期間と一致し、前記さらなるＷＢＡＮの前記スーパーフレームの前記動作期間が前記ＷＢＡＮの前記スーパーフレームの前記非アクティブ期間と一致するように、前記ＷＢＡＮの前記スーパーフレームの前記アクティブ期間を適合させる
ように動作可能である、請求項１７に記載のハブ。
【請求項１９】
前記ＷＢＡＮおよび前記さらなるＷＢＡＮが共存に適していないとき、前記ＷＢＡＮの前記ワイヤレス通信挙動を変更するために、前記プロセッサが、
第２の周波数チャネルに切り換える
ように動作可能である、請求項１６に記載のハブ。
【請求項２０】
プロセッサ上で実行されたとき、請求項１に記載の方法を行うことを前記プロセッサにさせるコンピュータ実行可能命令を搬送するコンピュータ可読キャリア媒体。
【発明の詳細な説明】
【技術分野】
【０００１】
本明細書において説明される実施形態は、一般に、ワイヤレスボディエリアネットワークにおける共存協調（coexistence coordination）に関する。
【背景技術】
【０００２】
ワイヤレスボディエリアネットワーク（ＷＢＡＮ：Wireless body area networks）は、バイタルヘルスケア信号を監視し、ログ記録して、送信するために使用される。ＷＢＡＮは、一般に、ハブと、データを監視しハブに送信するオンボディデバイス（on-body device）の形をとることが多い１つまたは複数のセンサノードとを備える。ＷＢＡＮは通常、低電力デバイスであり、オンボディデバイスがハブと通信するのに十分な、わずか数メートルの送信範囲を有する。
【０００３】
ＷＢＡＮは一般に、装着者のまわりに配置されるので、それらは、ランダムに分散され、モバイルであると考えられ得る。人々は動き回るので、ＷＢＡＮは、他のＷＢＡＮの送信範囲に入る可能性があり、干渉が生じる結果となる。これは、特に、そのようなデバイスが人口密度の高いエリア、例えば過密なエリアおよび特に病院の場合に当てはまる。干渉は、特に生命にとって重大な（life-critical）情報の消失または非効率的な送信問題になり得る。これは、病院において当てはまることがある。従って、特にＷＢＡＮの使用が普及するにつれて、ＷＢＡＮが共存できることが重要になる。
【図面の簡単な説明】
【０００４】
【図１Ａ】共存協調機構(coexistence coordination mechanism)を有する２つのＷＢＡＮを概略的に示す図。
【図１Ｂ】図１ＡのＷＢＡＮおよび関連付けられたオンボディデバイスを示す図。
【図２】一実施形態による保持に基づく共存協調方法のための流れ図を示す図。
【図３】図２の協調プロセスを始める一実施形態を示す図。
【図４Ａ】ＲＩ１＞ＲＩ２であるときの図２の保持指数（ＲＩ）値交換プロセス(exchange retention index (Rl) value process)の一実施形態を示す図。
【図４Ｂ】ＲＩ１＜ＲＩ２であるときの図２の保持指数（ＲＩ）値交換プロセスの一実施形態を示す図。
【図５】例示的な定義によって計算されるサンプルＲＩ値のグラフ。
【図６】代替の例示的な定義によって計算されるサンプルＲＩ値のグラフ。
【図７】一実施形態で考えられる例示的なＭＡＣスーパーフレーム構造を示す図。
【図８】共存協調の前の２つの干渉するＭＡＣスーパーフレームの一例を示す図。
【図９】一実施形態による共存協調後の２つの以前に干渉したＭＡＣスーパーフレームの一例を示す図。
【図１０】センサノードを概略的に示す図。
【図１１】一実施形態によるハブを概略的に示す図。
【図１２】一実施形態による保持に基づく共存協調方法のための単一ＷＢＡＮのための流れ図を示す図。
【発明を実施するための形態】
【０００５】
第１のワイヤレスボディエリアネットワーク（ＷＢＡＮ）のハブにおける方法が一実施形態によるものであり、第１のＷＢＡＮはハブと少なくとも１つのセンサノードとを備え、ハブは第１の周波数チャネル上で少なくとも１つのセンサノードとワイヤレスで通信するように構成され、方法は、第１の周波数チャネル上で動作する第２のＷＢＡＮの保持指数(retention index)を受信することと、ここにおいて、保持指数がそれぞれのＷＢＡＮの動作特性の尺度である、第２のＷＢＡＮの保持指数を第１のＷＢＡＮの保持指数と比較することと、第１のＷＢＡＮの保持指数が第２のＷＢＡＮの保持指数よりも小さい場合、第１のＷＢＡＮのワイヤレス通信挙動(wireless communication behaviour)を変更することとを備える。
【０００６】
本明細書において説明される実施形態は、潜在的に干渉するＷＢＡＮ間の共存を解消する際に使用されることになる協調機構の明確なセットを確立する。本開示は、これを、どちらのＢＡＮがそのワイヤレス通信挙動を保持するか（例えば、アクセス期間）、およびどちらのＷＢＡＮがそのワイヤレス通信挙動を変更するか（例えば、アクセス期間）を決定可能な方法を提案することによって、行う。本実施形態は、単純で明確な、効率的な共存機構を提供する。実施形態は、１つのＷＢＡＮのみがそのワイヤレス挙動を変更するので、単純である。実施形態は、どちらのＷＢＡＮがそのワイヤレス挙動を変更するべきかを確立する明確な通信メッセージシーケンスがわかりやすく説明されるので、明確である。
【０００７】
一実施形態は、第１のワイヤレスボディエリアネットワーク（ＷＢＡＮ）と第２のＷＢＡＮとの間のワイヤレスネットワーク共存協調とともに使用してよく、方法は、第２のＷＢＡＮの保持指数を第１のＷＢＡＮの保持指数と比較することと、比較に基づいて、少なくとも第１のＷＢＡＮと第２のＷＢＡＮのうちの１つを選定して、そのワイヤレス通信挙動を変更することを備え得る。
【０００８】
一実施形態は、単一周波数チャネル上で動作するＷＢＡＮの複数のペアに対して使用され得る。従って、一実施形態は、単一周波数チャネル上の３つ以上のＷＢＡＮ間で共存を可能にするために反復的に使用され得る。
【０００９】
一実施形態は、ワイヤレスネットワーク共存協調とともに使用するのに適してよい。一実施形態は、ワイヤレスネットワーク共存協調を試み得る。
【００１０】
一実施形態は、第１のＷＢＡＮと第２のＷＢＡＮとの間の通信を始めることと、各ＷＢＡＮの保持指数を計算することと、第１のＷＢＡＮと第２のＷＢＡＮのうちの少なくとも一方の保持指数を、第１のＷＢＡＮと第２のＷＢＡＮのうちの他方に送ることとをさらに備え得る。
【００１１】
ＷＢＡＮは、ハブと、オンボディデバイスの形をとり得るいくつかのセンサノードとを備え得る。センサノードは、それらの環境／患者の特定の特性を測定し、次いで、ハブと通信してよく、ハブはＷＢＡＮを協調させる。この通信は、ワイヤレスで行われてよい。このワイヤレス通信は、スーパーフレームプロトコルを使用して行われてよい。リモートセンサノードは一般に、オンボディデバイスを備えてよく、そのため、この用語は本明細書において頻繁に使用される。しかしながら、本開示は、ユーザの身体上に設置されたセンサノードとともに使用することに限定されるべきではないことが理解されるべきである。センサノードという用語は、ハブと通信するＷＢＡＮの任意の部分について説明するために使用できる。センサノードは、ハブに物理的に接続されてよく、例えば、ハブは内蔵センサを有してよい。
【００１２】
各オンボディデバイスは一般に、ユーザの身体上に設置され、上記で述べられたが、これは、常に当てはまるとは限らないことがある。センサノードは、環境変数をおそらく測定する、ユーザ上に設置されていないセンサまたはモニタを備え得る。オンボディデバイスの例としては、限定するものではないが、心拍数モニタ、温度計、呼吸モニタ、および生化学的センサがある。オンボディデバイスは、ユーザまたは環境の属性を測定する任意のセンサを備えてよい。
【００１３】
本実施形態に適合するＷＢＡＮは、任意の数のセンサノード例えばオンボディデバイスを備えてよい。本方法とともに使用するのに適したＷＢＡＮは、１つ、２つ、３つ、４つ、５つ、または６つ以上のセンサノード例えばオンボディデバイスを備えてよい。ＷＢＡＮは、１１以上、１６以上、または２１以上のセンサノード例えばオンボディデバイスを備えてよい。
【００１４】
ハブは一般に、センサノードを協調させ、制御する。従って、本明細書において説明される方法は一般に、ＷＢＡＮのハブ上で行われる。従って、ＷＢＡＮが特定の方法を試みると書かれている場合、それぞれのＷＢＡＮのハブがその方法を試みていることが理解されよう。ＷＢＡＮ内の通信は、ハブによって協調させられる。
【００１５】
ＷＢＡＮがハブとセンサノードとの間のワイヤレス通信を処理する方法に関して、ＷＢＡＮは、この時間軸を周期的フレームすなわち「スーパーフレーム」に分割し得る。各スーパーフレームは、ビーコンスロットすなわちビーコン期間によって制限される。ビーコン期間は、ＷＢＡＮおよびその送信特性に関する情報を含み得る。スーパーフレームは、ＷＢＡＮがアクティブである（例えば、ハブおよびノードが送信および／または受信中である）アクティブ期間と、ＷＢＡＮがアクティブでない非アクティブ期間とを備え得る。
【００１６】
実施形態は、干渉を経験する可能性があるまたは経験している同じ周波数チャネル上で動作する２つのＷＢＡＮとともに使用し得る。干渉しているＷＢＡＮは、周期的スーパーフレーム構造によりワイヤレス通信し得る。第１のＷＢＡＮが第２のＷＢＡＮの送信範囲に入るとき、あるいはむしろ、第１のＷＢＡＮのセンサノードが第２のＷＢＡＮのハブの送信範囲に入る（または、その逆である）とき、干渉が発生し得る。干渉は、データの消失またはＷＢＡＮの効率の低下をもたらし得る。従って、この状況では、ＷＢＡＮのうちの１つがそのワイヤレス通信挙動を変更して干渉を減少または除去することが望ましいことがある。
【００１７】
複雑さを減少させ、そのような方法の効率を増加させるために、２つの干渉するＷＢＡＮのうちの１つのみがそのワイヤレス通信挙動を変更し、非効率的に行う可能性のある複雑なシステムを回避することが望ましいことがある。本明細書で開示される方法の目的は、共存方法の複雑さ、従って非効率を減少させることである。スケジューリングおよび同期の複雑さは、説明される方法によって最小限に抑えられる。本明細書で開示される手法は、そのワイヤレス通信挙動を維持するＷＢＡＮのための共存プロセスを単純化させ、従って、共存プロセスを全体として単純化させる。
【００１８】
失われるまたは非効率的なデータ転送の影響がより大きいＷＢＡＮにそのワイヤレス通信挙動を維持させ、データ転送の非効率が重大な結果をもたらす可能性が低い他のＷＢＡＮにそのワイヤレス通信挙動を変更させることが、有益であることが多い。一実施形態は、そのワイヤレス通信挙動を変更するべきであるＷＢＡＮの選択を容易にし得る。
【００１９】
一実施形態では、各ＷＢＡＮは、関連する保持指数（ＲＩ）を有する。保持指数は、方法の一部として計算されてもよいし、あらかじめ計算されるおよび／またはそれぞれのＷＢＡＮのハブ内に保存されてもよい。本開示では、保持指数という用語とＲＩ値という用語は、同義で使用される。
【００２０】
ＲＩ値は、参加しているＷＢＡＮの性質および特定の特性を反映し得る。ＲＩ値は、それぞれのＷＢＡＮの動作特性を反映し得る。個々のＷＢＡＮの特性は、協調をより効率的にするように協調中に考慮可能であると思われる。ＲＩ値は、対応するＷＢＡＮの優先度を反映し得る。動作特性の特定の尺度を有するＷＢＡＮは、より多くの「そのままである権利」を有してよく、従って、別のＷＢＡＮを犠牲にして自らの現在のワイヤレス通信挙動を維持でき得る。より高いＲＩ値を有するＷＢＡＮのための情報または送信時間の消失は潜在的に、より小さいＲＩ値を有するＷＢＡＮのための情報の消失よりも大きな損害を与え得る。より高いＲＩ値を有するＷＢＡＮは、従って、本実施形態では、その現在のワイヤレス通信挙動を維持できる。従って、実施形態は、共存の効率的な解決策を提供する。
【００２１】
一実施形態は、間欠的で複雑なＷＢＡＮに適用可能なＷＢＡＮの全ての実際的特性を考慮に入れ得る。
【００２２】
ＲＩ値は、ユーザが定義可能な指数であってよく、その定義または計算は、ＷＢＡＮの重要性すなわち「そのままである権利」を定量化するように調整可能である。ＲＩ値は、送信情報の消失に関連する潜在的リスクを反映し得る。
【００２３】
共存協調が試みられている任意のＷＢＡＮの保持指数が比較され得る。第１のＷＢＡＮと第２のＷＢＡＮのうちのどちらがそのワイヤレス通信挙動を変更するべきかに関する選定は、ＲＩ値の比較に基づき得る。
【００２４】
一実施形態は、第１のＷＢＡＮの保持指数を計算することをさらに備え得る。
【００２５】
一実施形態による実施形態は、ＲＩを計算する各ＷＢＡＮまたはむしろそのハブを含み得る。
【００２６】
各ＷＢＡＮの保持指数の計算は、第１のＷＢＡＮと第２のＷＢＡＮとの間の通信を始める前に行われてよい。
【００２７】
保持指数は、比較される前のどの時点で計算されてもよい。保持指数は、計算されるのではなく、次いでＷＢＡＮのハブがさらなるＷＢＡＮのハブを読み比較できる各ＷＢＡＮまたは１つのＷＢＡＮの非可変特性として入力されてもよい。
【００２８】
保持指数は、Ｎと、
【００２９】
【数１】
2017526269.tif 000003
【００３０】
のうちの少なくとも１つの関数であり、ここにおいて、ＮはそれぞれのＷＢＡＮのセンサノードの数であり、
【００３１】
【数２】
2017526269.tif 000004
【００３２】
はそれぞれのＷＢＡＮのデューティサイクル(duty cycle)の尺度である。
【００３３】
Ｎは、センサノードの総数であってよい。Ｎは、オンボディデバイスの数であってよい。Ｎの代わりに使用され得る他の変数は、特定のタイプのセンサノードの数であってもよいし、ＲＩ値に影響を与えるのに適すると見なされるセンサノードの数であってもよい。言い換えれば、特定のタイプのデバイスまたはセンサノードは、ＲＩ値の計算に関して無関係であると見なされてよく、すなわち、特定のセンサノードタイプの存在は、特定のＷＢＡＮによる情報の潜在的な消失に関連するリスクを示さないことがある。
【００３４】
デューティサイクルは、信号がアクティブであるサイクルの比率であってよい。
【００３５】
【数３】
2017526269.tif 000005
【００３６】
は、一般的なスーパーフレームに基準化されたデューティサイクルであってよい。これは、活動の期間があらゆるスーパーフレームに対して同じでないときに使用されてよく、その場合、デューティサイクルに有用な値は、いくつかのスーパーフレームにわたって活動を平均することによってのみ発見可能である。
【００３７】
保持指数の値とＮとの間に正の相関があることがある。
【００３８】
保持指数の値と
【００３９】
【数４】
2017526269.tif 000006
【００４０】
との間に正の相関があることがある。
【００４１】
従って、Ｎの値および／または
【００４２】
【数５】
2017526269.tif 000007
【００４３】
が増加するにつれて、保持指数値も増加し得る。
【００４４】
相関の正確な形（例えば、線形、指数関数形、多項式、対数的など）は、状況、位置、タイプ、および存在するＷＢＡＮの数、ＷＢＡＮ面積密度の詳細によって決定され得る。ユーザは、相関の正確な形を決定し得る。
【００４５】
保持指数は、以下の定義
【００４６】
【数６】
2017526269.tif 000008
【００４７】
のうちの少なくとも１つに従うものであってよく、ここにおいて、ＮはそれぞれのＷＢＡＮのセンサノードの数であり、
【００４８】
【数７】
2017526269.tif 000009
【００４９】
はそれぞれのＷＢＡＮのデューティサイクルの尺度であり、ｋは性能低下に比例する定数を示す。
【００５０】
あるいは、ＲＩは、上記の定義に等しいのではなく、これに比例し得る。
【００５１】
性能低下は、受信データの減少について説明し得る。一実施形態では、性能低下係数は、衝突によるパケット減少を表し得る。
上記の定義の各々は、本実施形態において異なる状況で使用され得る。比較されるＷＢＡＮ上のセンサノードの数が同じ場合、定義（１）が使用され得る。定義（２）は、比較されるＷＢＡＮの基準化されたデューティサイクルが同じとき、使用され得る。定義（３）および（４）は、比較されるＷＢＡＮ上のセンサノードの数が異なり、比較されるＷＢＡＮの基準化されたデューティサイクルが異なるとき、ＲＩ値を計算する代替方法を提供する。
【００５２】
ＲＩは、上記の定義に従って計算され得る。
【００５３】
第１のＷＢＡＮおよび第２のＷＢＡＮのうちのどちらが最小保持指数を有するかは、そのワイヤレス通信挙動を変更するために選定され得る。第１のＷＢＡＮは、そのＲＩが第２のＷＢＡＮのＲＩよりも小さい場合、そのワイヤレス通信挙動を変更し得る。
【００５４】
比較されるＲＩ値が同じ場合、ＷＢＡＮのうちの１つが、そのワイヤレス通信挙動を変更するために選定され得る。ＲＩ値の比較は、第１のＲＩ値が第２のＲＩ値よりも大きいかどうか、または第２のＲＩ値よりも大きいもしくはこれに等しいかどうかを決定する関数を備え得る。従って、ＲＩ値が同じときに第１のＷＢＡＮがそのワイヤレス挙動を変更するかどうかは、選定される特定の比較関数(specific comparison function)に依存する。実際には、２つのＷＢＡＮが同じＲＩ値を有する可能性は非常に低い。これが発生する場合、一実施形態は、ＷＢＡＮが同じＲＩを持たない代替定義に切り換え得る。
【００５５】
いくつかの実施形態では、最小保持指数値を有するＷＢＡＮは、環境の軽減により、そのワイヤレス通信挙動を変更しないことがある。例えば、最小ＲＩ値を有するＷＢＡＮは、緊急センサノードを備え得る。そのようなセンサノードは、ＷＢＡＮがそのワイヤレス通信挙動を変更することを防止し得る。最小ＲＩ値を有するＷＢＡＮは、特にリスクのある患者を監視していることがある。これは、ＷＢＡＮがそのワイヤレス通信挙動を変更することを妨げ得る。あるいは、これらの環境の軽減は、関連ＷＢＡＮのＲＩ値が考慮され得る。
【００５６】
従って、一実施形態は、第１のＷＢＡＮのＲＩ値が第２のＷＢＡＮのＲＩ値よりも小さい場合でも、第１のＷＢＡＮまたはそのハブがそのワイヤレス通信挙動を変更しないことを提供し得る。
【００５７】
ＷＢＡＮのハブにおける方法は、協調要求を第２のＷＢＡＮのハブに送ることと、第２のＷＢＡＮのハブから協調応答を受信することとをさらに備え得る。
【００５８】
第１のＷＢＡＮが第１のＷＢＡＮの送信範囲内で第２のＷＢＡＮまたは第２のＷＢＡＮのセンサノードを検出すると、複数のＷＢＡＮ間で通信が始められ得る。通信は、ＷＢＡＮのいずれかによって始められ得る。
【００５９】
第１のＷＢＡＮと第２のＷＢＡＮとの間の通信を始めることは、第１のＷＢＡＮと第２のＷＢＡＮのうちの一方が協調要求を送ることと、第１のＷＢＡＮと第２のＷＢＡＮのうちの他方が協調応答を送ることとを備え得る。
【００６０】
協調応答は、応答ＷＢＡＮが他の協調を処理するのに忙しくない場合は協調の受理、または応答ＷＢＡＮが他の協調を処理している場合はビジー応答を備え得る。
【００６１】
本明細書において説明される一実施形態では、第１のＷＢＡＮの保持指数が第２のＷＢＡＮの保持指数よりも大きいとき、第１のＷＢＡＮと第２のＷＢＡＮのうちの少なくとも一方から第１のＷＢＡＮと第２のＷＢＡＮのうちの他方に保持指数を送り、保持指数を比較することは、第１のＷＢＡＮがその保持指数を第２のＷＢＡＮに送ることと、第２のＷＢＡＮが、第１のＷＢＡＮの保持指数を第２のＷＢＡＮの保持指数と比較することと、第２のＷＢＡＮが肯定応答を第１のＷＢＡＮに送ることとを備え得る。
【００６２】
上記の方法は、明瞭な通信を容易にして複雑さを減少させる単純で直接的な明確な一連のコマンドを提供し得る。
【００６３】
第２のＷＢＡＮの保持指数が第１のＷＢＡＮの保持指数よりも大きいとき、第１のＷＢＡＮと第２のＷＢＡＮのうちの少なくとも一方から第１のＷＢＡＮと第２のＷＢＡＮのうちの他方に保持指数を送り、保持指数を比較することは、第１のＷＢＡＮがその保持指数を第２のＷＢＡＮに送ることと、第２のＷＢＡＮが、第１のＷＢＡＮの保持指数を第２のＷＢＡＮの保持指数と比較することと、第２のＷＢＡＮが非肯定応答を第１のＷＢＡＮに送ることと、第２のＷＢＡＮがその保持指数を第１のＷＢＡＮに送ることと、第１のＷＢＡＮが、第２のＷＢＡＮの保持指数を第１のＷＢＡＮの保持指数と比較することと、第１のＷＢＡＮが肯定応答を第２のＷＢＡＮに送ることとを備え得る。
【００６４】
上記の方法は、明瞭な通信を容易にして複雑さを減少させる単純で直接的な明確な一連のコマンドを提供し得る。
【００６５】
従って、どちらのＷＢＡＮが最小ＲＩ値を有しても、他方のＷＢＡＮからＲＩを受信し、ＲＩ値を比較し得る。
【００６６】
いくつかの実施形態では、両方のＷＢＡＮは、ＲＩを他方のＷＢＡＮに送り得、両方は、他方のＷＢＡＮのＲＩを受信し得る。次いで、両方のＷＢＡＮは、ＲＩ値を比較し得る。
【００６７】
一実施形態は、第１のＷＢＡＮおよび第２のＷＢＡＮが共存に適しているかどうかを決定することをさらに備え得る。第１のＷＢＡＮまたはそのハブは、第１のＷＢＡＮおよび第２のＷＢＡＮが第１の周波数チャネル上での共存に適しているかどうかを決定し得る。
【００６８】
第１のＷＢＡＮおよび第２のＷＢＡＮが周期的スーパーフレーム構造によりワイヤレスで通信し、第１のＷＢＡＮおよび第２のＷＢＡＮが共存に適しているかどうかを決定することは、第１のＷＢＡＮのスーパーフレームの非アクティブ期間が少なくとも第２のＷＢＡＮのスーパーフレームの動作期間と同じ長さであるかどうかを評価することと、第２のＷＢＡＮのスーパーフレームの非アクティブ期間が少なくとも第１のＷＢＡＮのスーパーフレームの動作期間と同じ長さであるかどうかを評価することとを備え、ここにおいて、動作期間は、それぞれのＷＢＡＮのアクティブ期間を備える。
【００６９】
第１のＷＢＡＮと第２のＷＢＡＮは、第１の周波数チャネル上でアクティブ期間および非アクティブ期間についての情報を交換し得る。
【００７０】
第１のＷＢＡＮの動作期間は、ＷＢＡＮが干渉を経験できない、またはそうであるべきではない時間の期間について説明し得る。第１のＷＢＡＮの動作期間は、従って、第１のＷＢＡＮのワイヤレス性能に影響することを回避するように第２のＷＢＡＮがアクティブであるべきではない時間の期間について説明し得る。
【００７１】
動作期間は、アクティブ期間を備え得る。第１のＷＢＡＮの動作期間は、第１のＷＢＡＮのアクティブ期間を備え得る。第１のＷＢＡＮの動作期間は、第１のＷＢＡＮのアクティブ期間からなってもよい。
【００７２】
動作期間は、それぞれのＷＢＡＮのビーコン期間を備え得る。動作期間は、ビーコン期間の送信が近くのＷＢＡＮからの干渉を経験しないことを保証するビーコン期間を備え得る。
【００７３】
動作期間は、それぞれのＷＢＡＮのオフセット期間を備え得る。
【００７４】
オフセット期間は、バッファとして機能し、２つの共存するＷＢＡＮのアクティブ期間間の安全余裕を提供するために、動作期間の一部として含まれてよい。オフセット期間は、スーパーフレーム期間タイミングまたはアクティブ期間タイミングにおけるいかなるわずかなずれもＷＢＡＮ間の干渉をもたらさないことを保証し得る。オフセット期間は、小さな時間同期問題が干渉に関する問題を引き起こさないことを保証する。
【００７５】
オフセット期間はユーザにより定義されてもよいし、特定のＷＢＡＮまたは周波数チャネルによって指定されてもよい。あるいは、オフセット期間は、（以下で説明されるように）ＷＢＡＮ間でネゴシエートされてもよい。
【００７６】
スーパーフレーム構造によりワイヤレス通信するＷＢＡＮのワイヤレス通信挙動を変更することは、第１のＷＢＡＮおよび第２のＷＢＡＮが共存に適しているとき、（例えば、選定されたＷＢＡＮのスーパーフレームのアクティブ期間を適合させることによって）（すなわち、最小ＲＩを有する）ＷＢＡＮのスーパーフレームのパラメータを変更すること、または第１のＷＢＡＮおよび第２のＷＢＡＮが共存に適していないとき、選定されたＷＢＡＮがチャネルを切り換えること、のどちらかを備え得る。
【００７７】
第１のＷＢＡＮおよび第２のＷＢＡＮが、スーパーフレーム構造を使用してワイヤレス通信し、共存に適しているとき、第１のＷＢＡＮのワイヤレス通信挙動を変更することは、第１のＷＢＡＮのスーパーフレームのパラメータを変更することを備え得る。
【００７８】
第１のＷＢＡＮのスーパーフレームのパラメータを変更することは、第１のＷＢＡＮのスーパーフレームのアクティブ期間が、第１のＷＢＡＮのスーパーフレームの動作期間が第２のＷＢＡＮのスーパーフレームの非アクティブ期間と一致し、第２のＷＢＡＮのスーパーフレームの動作期間が第１のＷＢＡＮのスーパーフレームの非アクティブ期間と一致するように適合されることを備え得る。
【００７９】
アクティブ期間を適合させることは、アクティブ期間の開始がスーパーフレーム内でシフトされることを指し得る、すなわち、ビーコン期間は修正されないままであり得るが、アクティブ期間はスーパーフレーム内でシフトし得る。あるいは、アクティブ期間はビーコン期間に対して変更され得ないが、ビーコン期間は時間領域内でシフトし得る、すなわち、スーパーフレーム全体が時間領域内でシフトし得る。上記のタイプの適合の組み合わせがなされてもよい。従って、アクティブ期間を適合させることは、スーパーフレームに対してアクティブ期間を適合させること、時間領域に対してアクティブ期間を適合させること、またはこの２つの組み合わせを指し得る。
【００８０】
いくつかの実施形態では、アクティブ期間は、延長されてもよいし、短縮されてもよい。スーパーフレームは、延長または短縮できない。
【００８１】
アクティブ期間は、それぞれのＷＢＡＮの動作期間が干渉ＷＢＡＮの非アクティブ期間と一致するように適合され得る。動作期間がビーコン期間および／またはオフセット期間を備える実施形態では、ビーコン期間に対するアクティブ期間のシフティング(shifting)は、ビーコン期間とオフセット期間とを含む動作期間が干渉ＷＢＡＮの非アクティブ期間と一致することを保証し得る。これは、第１のＷＢＡＮのビーコン期間が第２のＷＢＡＮの非アクティブ期間とすでに一致しているときに発生し得る。
【００８２】
あるいは、第１のＷＢＡＮのビーコン期間が第２のＷＢＡＮの非アクティブ期間と一致しないとき、アクティブ期間のシフティングが、時間領域内でシフトすることをビーコン期間（および、従ってスーパーフレーム全体）に要求する。
【００８３】
最小ＲＩを有するＷＢＡＮは、現在の周波数チャネル上のそのワイヤレス通信挙動を、共存を可能にするように適合させ得る。第１のＷＢＡＮが最小ＲＩ値を有し、第１のＷＢＡＮおよび第２のＷＢＡＮが共存に適しているとき、第１のＷＢＡＮのハブは、現在の周波数チャネル上でのそのワイヤレス通信挙動を、共存を可能にするように適合させ得る。
【００８４】
この構成は、第１のＷＢＡＮおよび第２のＷＢＡＮが同じ周波数チャネル上で干渉なしに共存することを可能にし得る。上記の構成では、第１のＷＢＡＮと第２のＷＢＡＮのうちの１つのみが一度にアクティブである。従って、第１のＷＢＡＮおよび第２のＷＢＡＮは同時にアクティブでなく、従って、干渉が除去され得る。
【００８５】
共存が可能な場合、最小ＲＩ値を有するＷＢＡＮは、共存を可能にするために、そのアクティブ期間、オフセット期間、並びに／またはその非アクティブ期間の開始および終了に関する明確な情報を送る。より高いＲＩ値を有するＷＢＡＮは、そのアクティブ期間、オフセット期間、並びに／またはその非アクティブ期間の開始および終了に関する明確な情報を送り得る。この情報の交換はまた、それが正常に行われたことを検証するために、ワイヤレス通信挙動が変更された後で行われてもよい。
【００８６】
フィードバックまたは反復ループは、時間同期問題が干渉を引き起こさないことを保証するようにオフセット期間をネゴシエートするために実施され得る。反復ループはまた、取り決めに従って協調が行われることを検証し得る。オフセット期間は、小さい同期問題が干渉を引き起こさないことを保証するために、ＷＢＡＮ間でネゴシエート可能であってよい。従って、オフセット期間は、ＷＢＡＮのスーパーフレーム、アクティブ期間、および非アクティブ期間に関する情報が交換された後で発生するフィードバックループの１回または複数回の反復中にネゴシエートされ得る。
【００８７】
第１のＷＢＡＮおよび第２のＷＢＡＮが共存に適していないとき、ＷＢＡＮのワイヤレス通信挙動または第１のＷＢＡＮのワイヤレス通信挙動を変更することは、第２の周波数チャネルに切り換えることを備え得る。
【００８８】
最小ＲＩを有するＷＢＡＮは、別のチャネル上で動作するために周波数チャネルを切り換え得る。第１のＷＢＡＮが最小ＲＩ値を有するとき、第１のＷＢＡＮのハブは、第２の周波数チャネルに切り換え得る。これは、選定されたＷＢＡＮのスーパーフレームが、そのＷＢＡＮまたは他のＷＢＡＮとの共存に適していないまたはこれに適合していないとき、なされ得る。
【００８９】
一実施形態は、ワイヤレス通信挙動が正常に変更されたことを検証し得る。一実施形態は、ワイヤレス通信挙動が変更されたかどうか、および共存が達成されたどうかをＷＢＡＮがチェックする反復ループを備え得る。従って、反復ループは、取り決めに従って協調が行われたことを検証し得る。この反復ループは、第１のＷＢＡＮ、第２のＷＢＡＮ、または両方のＷＢＡＮによって試みられてよい。
【００９０】
第１のＷＢＡＮは、アクティブ期間、非アクティブ期間、および／または動作期間が、干渉が回避されるように構成されることをチェックし得る。第１のＷＢＡＮは、ＷＢＡＮが現在、第２の周波数チャネル上で通信することをチェックし得る。第１のＷＢＡＮは、そのスーパーフレーム、アクティブ期間、非アクティブ期間、および／または動作期間に関する情報を第２のＷＢＡＮに送り得、第２のＷＢＡＮは、ワイヤレス通信挙動が正常に変更されたことをチェックし得る。
【００９１】
他の実施形態は、どちらが現在のワイヤレス通信挙動を維持できるべきかを確かめるために２つ以上のＷＢＡＮの動作特性を査定する(rating)ことを目的としてよく、方法は、各ＷＢＡＮの保持指数を比較することを備える。方法は、各ＷＢＡＮの保持指数を計算することをさらに備え得る。
【００９２】
他の実施形態は、第１のワイヤレスボディエリアネットワーク（ＷＢＡＮ）のハブにおけるものであり、第１のＷＢＡＮはハブと少なくとも１つのセンサノードとを備え、方法は、周期的スーパーフレームを使用して第１の周波数チャネル上で第１のＷＢＡＮの少なくとも１つのセンサノードとワイヤレス通信することと、第１の周波数チャネル上で動作する第２のＷＢＡＮの保持指数と第１のＷＢＡＮの保持指数との比較の結果を受信することと、ここにおいて、保持指数はそれぞれのＷＢＡＮの動作特性の尺度である、第１のＷＢＡＮの保持指数が第２のＷＢＡＮの保持指数よりも小さい場合、第１のＷＢＡＮのワイヤレス通信挙動を変更することとを備え得る。
【００９３】
結果は、第２のＷＢＡＮから受信され得る。
【００９４】
他の実施形態は、第１のＷＢＡＮおよび第２のＷＢＡＮが共存に適しているかどうかを決定することを目的とし、方法は、第１のＷＢＡＮのスーパーフレームの非アクティブ期間が少なくとも第２のＷＢＡＮのスーパーフレームの動作期間と同じ長さであるかどうかを評価することと、第２のＷＢＡＮのスーパーフレームの非アクティブ期間が少なくとも第１のＷＢＡＮのスーパーフレームの動作期間と同じ長さであるかどうかを評価することとを備え、ここにおいて、動作期間はそれぞれのＷＢＡＮのアクティブ期間を備える。
【００９５】
ワイヤレスボディエリアネットワーク（ＷＢＡＮ）のためのハブであって、第１の周波数チャネル上で少なくとも１つのセンサノードとワイヤレス通信するように動作可能であり、第１の周波数チャネル上で動作するさらなるＷＢＡＮの保持指数を受信するように動作可能であるアンテナと、ここにおいて、保持指数はそれぞれのＷＢＡＮの動作特性の尺度(measure)である、さらなるＷＢＡＮの保持指数をＷＢＡＮの保持指数と比較し、ＷＢＡＮの保持指数がさらなるＷＢＡＮの保持指数よりも低いとき、ＷＢＡＮのワイヤレス通信挙動を変更するように動作可能であるプロセッサとを備えるハブは、さらなる実施形態によるものである。
【００９６】
ＷＢＡＮおよびさらなるＷＢＡＮのハブおよびセンサノードは、周期的スーパーフレーム構造により通信し得る。ＷＢＡＮおよびさらなるＷＢＡＮは、周期的スーパーフレーム構造に従ってワイヤレス通信し得る。
【００９７】
保持指数は、Ｎと
【００９８】
【数８】
2017526269.tif 000010
【００９９】
のうちの少なくとも１つの関数であってよく、ここにおいて、ＮはそれぞれのＷＢＡＮのセンサノードの数であり、
【０１００】
【数９】
2017526269.tif 000011
【０１０１】
はそれぞれのＷＢＡＮのデューティサイクルの尺度である。
【０１０２】
保持指数は、以下の定義
【０１０３】
【数１０】
2017526269.tif 000012
【０１０４】
のうちの少なくとも１つに従うものであってよく、ここにおいて、ｋは性能低下に比例する定数を示し、ＮはそれぞれのＷＢＡＮのセンサノードの数であり、
【０１０５】
【数１１】
2017526269.tif 000013
【０１０６】
はそれぞれのＷＢＡＮのデューティサイクルの尺度である。
【０１０７】
プロセッサは、ＷＢＡＮの保持指数を計算するように構成可能であってもよいし、計算するように動作可能であってもよい。
【０１０８】
ＷＢＡＮおよびさらなるＷＢＡＮが周期的スーパーフレーム構造によりワイヤレス通信し、プロセッサは、ＷＢＡＮのスーパーフレームの非アクティブ期間が少なくともさらなるＷＢＡＮのスーパーフレームの動作期間と同じ長さであるかどうかを評価することと、さらなるＷＢＡＮのスーパーフレームの非アクティブ期間が少なくともＷＢＡＮのスーパーフレームの動作期間と同じ長さであるかどうかを評価することとによって、ＷＢＡＮおよびさらなるＷＢＡＮが共存に適しているかどうかを決定するように構成されてもよいし、決定するように動作可能であってもよく、ここにおいて、動作期間はそれぞれのワイヤレスネットワークのアクティブ期間を備える。
【０１０９】
動作期間は、それぞれのネットワークのアクティブ期間、ビーコン期間、およびオフセット期間のうちの１つまたは複数を備え得る。
【０１１０】
ＷＢＡＮおよびさらなるＷＢＡＮが周期的スーパーフレーム構造によりワイヤレス通信し、ＷＢＡＮおよびさらなるＷＢＡＮが共存に適しているとき、ＷＢＡＮのワイヤレス通信挙動を変更するために、プロセッサは、ＷＢＡＮのスーパーフレームのパラメータを変更するように構成されてもよいし、変更するように動作可能であってもよい。
【０１１１】
ＷＢＡＮのスーパーフレームのパラメータを変更するために、プロセッサは、ＷＢＡＮのスーパーフレームの動作期間がさらなるＷＢＡＮのスーパーフレームの非アクティブ期間と一致し、さらなるＷＢＡＮのスーパーフレームの動作期間がＷＢＡＮのスーパーフレームの非アクティブ期間と一致するように、ＷＢＡＮのスーパーフレームのアクティブ期間を適合させるように構成されてもよいし、適合させるように動作可能であってもよい。
【０１１２】
ＷＢＡＮおよびさらなるＷＢＡＮが周期的スーパーフレーム構造によりワイヤレス通信し、ＷＢＡＮおよびさらなるＷＢＡＮが共存に適していないとき、ＷＢＡＮのワイヤレス通信挙動を変更するために、プロセッサは、第２の周波数チャネルに切り換えるように構成されてもよいし、切り換えるように動作可能であってもよい。
【０１１３】
プロセッサ上で実行されたとき、本明細書において説明される方法を行うことをプロセッサにさせるコンピュータ実行可能命令を搬送するコンピュータ可読キャリア媒体は、さらなる実施形態によるものである。
【０１１４】
本明細書において説明される方法のいずれかを行うように構成されたワイヤレスボディエリアネットワーク装置は、他の実施形態によるものである。
【０１１５】
本明細書で開示される任意の実施形態に関する特徴の説明は、必要に応じて変更を加えて、本開示の他の任意の実施形態における類似した特徴に適用される。
【０１１６】
図１Ａおよび図１Ｂは、２つのワイヤレスボディエリアネットワーク（ＷＢＡＮ）１０、１２を概略的に示す。ＷＢＡＮは、バイタルヘルスケア信号を監視し、ログ記録して、送信するために設計される。図１Ａでは、第１のＷＢＡＮ１０は第１の人間の上に設置され、第２のＷＢＡＮ１２は第２の人間の上に設置される。各ＷＢＡＮは、ハブ１４、１６と、１つまたは複数のオンボディデバイス１８とを備える。オンボディデバイス１８はセンサノードのタイプである。各オンボディデバイス１８は、ハブ／コーディネータ１４、１６に送信する。オンボディデバイスは、一定のビットレート、従って、高いデータ転送速度を有してもよいし、間欠的なビットレート、従って低データ転送速度を有してもよい。各オンボディデバイス１８は一般に、ユーザの身体上に設置され、例えば、心拍数モニタ、温度センサ、呼吸センサ、生化学的オンボディデバイスを備え得る。ＷＢＡＮは多くの場合、人体としてモデル化の目的で考えられ得ることがわかる。図１Ｂでは、各オンボディデバイスはＳ１〜Ｓｘのラベルを付与される。第１のＷＢＡＮ１２は５つのオンボディデバイスを備え、第２のＷＢＡＮ１４は９つのオンボディデバイスを備える。
【０１１７】
図１０および図１１はそれぞれ、センサノード（オンボディデバイスはその一例である）およびハブを示す。
【０１１８】
図１Ａおよび図１Ｂは、そのような干渉を最小限に抑え得るまたは除去し得る共存協調機構を示す。
【０１１９】
図２は、一実施形態の流れ図を示す。この流れ図は、２つの潜在的に干渉するＷＢＡＮ１０、１２のための共存協調ステップを示す。同じ周波数チャネルを使用する２つのＷＢＡＮが互いの送信範囲内に来ると、本実施形態の共存協調機構がＳ１０で開始され得る。動作中、ハブは、そのＷＢＡＮに関連しないオンボディデバイスがその送信範囲に入ったことを検出し得る。潜在的に干渉するオンボディデバイスまたはＷＢＡＮの検出時、協調プロセスがＷＢＡＮ間で始められるＳ２０（図３でより詳細に示される）。
【０１２０】
協調プロセスが始められるＳ２０と、保持指数（ＲＩ）値がＷＢＡＮの各々に対して計算されるＳ３０。ＲＩ値およびその計算については、以下でより詳細に説明される。図２の実施形態では、ＲＩ値計算ステップＳ３０は、「協調プロセスを始めるステップ」Ｓ２０の後にくる。本開示では、「ＲＩ１」は第１のＷＢＡＮすなわち「ＷＢＡＮ１」の保持指数を指し、「ＲＩ２」は第２のＷＢＡＮすなわち「ＷＢＡＮ２」の保持指数を指す。
【０１２１】
本実施形態では、ＷＢＡＮのうちの１つのみが、そのワイヤレス通信挙動を変更する。他のＷＢＡＮは、そのワイヤレス通信挙動を保持する。ＲＩ値は「そのままでいる権利」を表し、どちらのＷＢＡＮがそのワイヤレス通信挙動を保持するか、およびどちらＷＢＡＮがそのワイヤレス通信挙動を変更するかを決定するために使用される。
【０１２２】
２つのＷＢＡＮは、ＲＩ値を交換するＳ４０（図４Ａおよび図４Ｂでより詳細に示される）。各ＲＩ値は数である。本実施形態では、より高いＲＩ値は、ＷＢＡＮが、ＷＢＡＮの複雑な特性により現在のワイヤレス通信挙動を維持する権利をより多く有することを意味するが、これは、他の実施形態では必ずしも当てはまるとは限らない。
【０１２３】
ＲＩ値が交換されたＳ４０後、決定ステップＳ５０が、どちらのＷＢＡＮが最大ＲＩ値を有するかを決定する。図２のこの決定ステップＳ５０は、「ＲＩ（ＷＢＡＮ１）＞ＲＩ（ＷＢＡＮ２）であるかどうか」を決定することによって実施される。
【０１２４】
決定ステップＳ５０は、どちらのＷＢＡＮがそのワイヤレス通信挙動を変更するべきかを決定する。本実施形態では、各ＷＢＡＮのワイヤレス通信挙動は、スーパーフレームモデルを使用する。スーパーフレームは、所定の長さの時間の周期的フレームである。各スーパーフレームは、等しい長さのスロットから構成され、０からｓまでの番号が付与され、ここで、ｓ≦２５５である。各スーパーフレームは、３つの部分、すなわち、期間ＴBのビーコン期間、アクティブ期間ＴA、および非アクティブ期間ＴIを備える。これは図７に示され、図７を参照しながらさらに説明される。ＷＢＡＮがそのワイヤレス通信挙動を変更するとき、スーパーフレーム期間のパラメータが変更され得る。これは、アクティブ期間が適合される、例えばシフトされることを伴うことがある。
【０１２５】
ＲＩ（ＷＢＡＮ１）＜ＲＩ（ＷＢＡＮ２）のとき、ＷＢＡＮ２はそのワイヤレス通信挙動を保持し、ＷＢＡＮ１はそのワイヤレス通信挙動を変更するＳ６０。従って、ＷＢＡＮ２のスーパーフレームのパラメータは変更されないままである。ＷＢＡＮ２は同じチャネル上にあるままである。従って、ＷＢＡＮ１が最小保持指数を有するとき、ＷＢＡＮ１のワイヤレス通信挙動が変更される。
【０１２６】
図２の実施形態では、ＲＩ（ＷＢＡＮ１）＝ＲＩ（ＷＢＡＮ２）の場合、「ＲＩ（ＷＢＡＮ１）＞ＲＩ（ＷＢＡＮ２）であるかどうか」の決定ステップＳ５０は上記のＳ６０と同じ出力を与え、そのため、ＷＢＡＮ２はそのワイヤレス通信挙動を保持し、ＷＢＡＮ１はそのワイヤレス通信挙動を変更するＳ６０。しかしながら、ＷＢＡＮの個別性およびＲＩを計算するために使用される定義により、２つのＷＢＡＮが同じＲＩを有する可能性は非常に低い。いくつかの実施形態では、２つの干渉するＷＢＡＮが同じＲＩを有する場合、代替定義がＲＩ計算のために使用されてよい。
【０１２７】
ＲＩ（ＷＢＡＮ１）＞ＲＩ（ＷＢＡＮ２）のとき、ＷＢＡＮ１はそのワイヤレス通信挙動を保持し、ＷＢＡＮ２はそのワイヤレス通信挙動を変更するＳ７０。従って、ＷＢＡＮ１のスーパーフレームのパラメータは変更されないままである。ＷＢＡＮ１は同じチャネルまたは周波数上にあるままである。ＷＢＡＮ２が最小保持指数を有するとき、ＷＢＡＮ２のワイヤレス通信挙動が変更される。
【０１２８】
どのようにしてワイヤレス通信挙動が本実施形態により変更されるかは、図８および図９に対してさらに説明される。
【０１２９】
どちらのＷＢＡＮがそのワイヤレス通信挙動を保持するべきか、およびどちらのＷＢＡＮがそのワイヤレス通信挙動を変更するべきかが決定されると、保持に同意し強制するステップがあるＳ８０。このステップは、図４Ａおよび図４Ｂを参照しながらさらに説明される。
【０１３０】
図２の実施形態では、ＲＩ値が比較され、どちらのＷＢＡＮがそのワイヤレス通信挙動を変更するべきかが決定されると、ＷＢＡＮが共存できるかどうかを評価するプロセスが始まる。このプロセスは、各ＷＢＡＮのアクティブ期間およびスーパーフレーム期間（図７を参照しながらさらに説明される）が交換されＳ９０、ＷＢＡＮが共存できるかどうかを決定するために決定ステップＳ１００が試みられる（以下でより詳細に説明される）ことによって開始される。
【０１３１】
ＷＢＡＮが共存に適していない場合、より小さいＲＩ値を有するＷＢＡＮ（上記の決定ステップＳ５０によって決定された）は同意しＳ１１０、周波数チャネルを切り換えるＳ１２０。同意ステップＳ１１０は、関連ＷＢＡＮが現在の送信を中止し、代替チャネルをスキャンし始めることを備える。次いで、これは、共存協調の終了であるＳ１３０。
【０１３２】
ＷＢＡＮが共存に適している場合、アクティブ期間およびオフセット期間に関する情報が交換され、より低いＲＩ値を有するＷＢＡＮのスーパーフレームのパラメータが変更されるＳ１４０。これは、アクティブ期間をシフトすることによって行われる。反復ループＳ１６０を伴う決定ステップＳ１５０は、これが、共存協調プロセスが終了するＳ１７０前に行われたことを保証するために実施される。２つのＷＢＡＮは両方とも、変更がなされたことを独立して検証し得る。これは、取り決めに従って協調が行われることを検証するフィードバック機構を提供する。２つのＷＢＡＮは現在、共存することができる。
【０１３３】
次に図３を参照すると、図２の実施形態のステップＳ２０による協調プロセスの一例が示されている。ハブ１（ＷＢＡＮ１のハブ）が、協調要求２０をハブ２に送ることによって協調プロセスを開始する。次いで、ハブ２（ＷＢＡＮ２のハブ）が、ハブ２が他の協調プロセスを処理している場合は「ビジー」回答を送る、または、そうでない場合は協調要求を受理する、のどちらかである、協調応答２２を送る。「ビジー」応答の場合、ハブ１は、プロトコルで指定される次のスーパーフレームまたは周期的再送信間隔において、さらなる要求２０を送ってよい。
【０１３４】
図４Ａおよび図４Ｂは、一実施形態によりＲＩ値を交換し比較する、並びに保持に同意し強制するためのメッセージシーケンスの例を示す。
【０１３５】
図４Ａは、ＲＩ１がＲＩ２よりも大きいときのためのメッセージシーケンスの一例を示す。ここで、ハブ１  １４は、ＲＩ１値をハブ２  １６に送信する２４前に、ＷＢＡＮ１に対する保持指数を計算するＳ３０。次いで、ハブ２  １６はＲＩ２を計算しＳ３０、ＲＩ値を比較および／または検証するＳ４５。ＲＩを比較および／または検証するステップＳ４５が、ＲＩ１＞ＲＩ２であると決定するとき、肯定応答２６がハブ２からハブ１に送られ、ＲＩ１がＲＩ２よりも大きいことを確認する。この肯定応答２６は、どちらのＷＢＡＮがそのワイヤレス通信挙動を変更するべきか、およびどちらのＷＢＡＮがそのワイヤレス通信挙動を維持するべきかを強制する。
【０１３６】
図４Ｂは、ＲＩ２がＲＩ１よりも大きいときのためのメッセージシーケンスの一例を示す。ここで、ハブ１  １４は、ＲＩ１値をハブ２  １６に送信する２４前に、ＷＢＡＮ１に対する保持指数を計算するＳ３０。次いで、ハブ２  １６はＲＩ２を計算しＳ３０、これをＲＩ１と比較および／または検証するＳ４５。ＲＩ２の計算Ｓ３０は、ＲＩ１が送信される前に開始または完了されてよい。ＲＩを比較および／または検証するステップＳ４５が、ＲＩ１＜ＲＩ２であると決定するとき、非肯定応答２８がハブ２からハブ１に送られ、並びにＲＩ２とともに送信がなされる３０。次いで、ハブ１  １４は、ＲＩ１＜ＲＩ２であると仮定して、肯定応答２６をハブ２  １６に送る前に、ＲＩ値を比較および／または検証するＳ４５。
【０１３７】
図５および図６は、ＲＩ値がオンボディデバイスの数およびデューティサイクル（信号がアクティブであるサイクルの比率）に依存するＲＩ値計算の例を示す２つのプロットであり、デューティサイクルは、基準化されたデューティサイクル値によって表される。
【０１３８】
基準化されたデューティサイクルは、異なるアクセス周期性（例えば、スーパーフレームごとに１回の周期的アクセスまたはｍ個のスーパーフレームごとにｍ回の周期的アクセス）を持ち得るオンボディデバイスの挙動を適正に表すために使用され得る。基準化されたデューティサイクルは、ｍ個のスーパーフレームにわたってスーパーフレームあたりの活動信号の平均比率を提供し得る。本実施形態の基準化されたデューティサイクルは、ｍ個のスーパーフレームにわたっての活動の総量をｍ個のスーパーフレームで除算することによって計算される。基準化されたデューティサイクルは、異なる周期性を有するオンボディデバイスが、それに応じて共存機構において重み付けされることを可能にする。これは、ＲＩの使用によって可能にされる。
【０１３９】
本実施形態によるＲＩ値の計算に関して考慮に入れられる特性は、ＷＢＡＮのオンボディデバイスの数およびその適用要件、並びにＷＢＡＮのデューティサイクルである。
【０１４０】
本開示による潜在的なＲＩ値定義の例は、次のとおりである。
【０１４１】
【数１２】
2017526269.tif 000014
【０１４２】
ここで、ＮはそれぞれのＷＢＡＮのセンサノードすなわちオンボディデバイスの数、
【０１４３】
【数１３】
2017526269.tif 000015
【０１４４】
はそれぞれのＷＢＡＮのデューティサイクルの尺度であり、ｋは性能低下に比例する定数を示す。性能低下は、衝突によるパケット減少である。
【０１４５】
上記の定義の各々は、さまざまな状況で使用できる。比較されるＷＢＡＮ上のオンボディデバイスの数が同じ場合、定義（１）が使用できる。定義（２）は、比較されるＷＢＡＮの基準化されたデューティサイクルが同じとき、使用できる。定義（３）および（４）は、比較されるＷＢＡＮ上のオンボディデバイスの数が異なり、比較されるＷＢＡＮの基準化されたデューティサイクルが異なるとき、ＲＩ値を計算する代替方法を提供する。
【０１４６】
図５は、定義３によりオンボディデバイスおよびデューティサイクルの数を変化させるためのＲＩ値のプロットである。図６は、定義４によりオンボディデバイスおよびデューティサイクルの数を変化させるためのＲＩ値のプロットである。
【０１４７】
図２を参照すると、協調プロセスが開始されＳ２０、各ＷＢＡＮがＲＩ値を計算しＳ３０、ＲＩ値を交換しＳ４０、この値を第２のＷＢＡＮと比較するＳ４０＆Ｓ５０と、２つのＷＢＡＮが共存できるどうかが決定されるＳ９０＆Ｓ１００。次に、これが説明される。
【０１４８】
図７は、例示的なスーパーフレーム期間を示す。スーパーフレームは、３つの部分、すなわち、期間ＴBのビーコンスロット（またはビーコン期間）、アクティブ期間ＴAおよび非アクティブ期間ＴI、を備える。各スーパーフレームはビーコンによって制限され、従って、ビーコン間隔（ＢＩ）はスーパーフレーム期間ＴDを表す。追跡可能な分析の場合、ＢＩ＝ＴD＝２BOであり、ここで、ＢＯはビーコン順序である。ＷＢＡＮは、取り付けられたオンボディデバイスに応じて、ビーコン順序を、従ってスーパーフレーム期間を選ぶ。干渉するＷＢＡＮが異なる長さのスーパーフレームを有することが可能である。
【０１４９】
本実施形態のシステムなどのＴＤＭＡベースのスケジュールされたアクセスシステムでは、ハブは、ビーコンメッセージを通じて同期を維持する。これは、ランダムアクセスシステム（ＣＳＭＡ／ＣＡのような競合アクセスなど）とは対照的である。ＴＤＭＡベースのスケジュールされたアクセス手法は、所望のエネルギー効率を達成するために最も適切なＭＡＣ解決策である。この手法は、センサノードおよびコーディネータが時間的に同期されるので、エネルギー浪費の多数の一般的な原因を回避し、ノードは、送るべきデータを有するときのみ起動する。このスケジューリングは、ハブが周期的ビーコンを送り、各ノードがデータを送信するための特定の時間を示すことによって達成される。
【０１５０】
ＷＢＡＮハブまたはオンボディデバイスは一般に、アクティブ期間ＴA中に送信および／または受信している。このアクティブ期間中、スケジュールされたアクセス期間（この間にデータが送信され得る）および制御／管理期間（シグナリング目的で使用される）がある。
【０１５１】
非アクティブ期間ＴI中、ＷＢＡＮは、周波数チャネル上でアクティブでない。
【０１５２】
本実施形態は、（例えば、ＷＢＡＮの干渉ペアの）さらなるＷＢＡＮの非アクティブ期間中であるようにＷＢＡＮ（例えば、ＷＢＡＮの干渉ペアのうちの１つ）の動作期間（少なくともアクティブ期間を備える）を適合させるように、特にスーパーフレームのパラメータを変更することによって、ワイヤレス通信挙動を変更する。従って、２つの干渉ＷＢＡＮは、第１のＷＢＡＮの動作期間が第２のＷＢＡＮの非アクティブ期間と一致し、第２のＷＢＡＮの動作期間が第１のＷＢＡＮの非アクティブ期間と一致するように構成される。本実施形態では、それぞれのビーコン期間はまた、さらなるＷＢＡＮの非アクティブ期間中であるように構成される。そのような構成は、効率的な共存を提供する。
【０１５３】
共存が可能であるかどうかを評価するために、関連ＷＢＡＮのスーパーフレーム特性が適切であるかどうか、すなわち、ＷＢＡＮの各々の非アクティブ期間が他のＷＢＡＮの必要な「動作期間」を収容できるかどうかが決定される。本実施形態による第１のＷＢＡＮの動作期間は、第１のＷＢＡＮに対する可能な干渉を回避するために第２のＷＢＡＮが周波数チャネルにアクセスするべきでない期間として定義される。
【０１５４】
効率的な共存を保証するために、この実施形態による動作期間は、ビーコン期間ＴBと、アクティブ期間ＴAと、オフセット期間Ｔoffsetとを備える。オフセット期間は、いかなる同期も回避するために使用される。オフセット期間は、ユーザにより定義可能である、固定可能である、またはＷＢＡＮ間でネゴシエート可能である。オフセット期間は、１つのＷＢＡＮのビーコン期間を別のＷＢＡＮのアクティブ期間から分離するバッファまたはスペーサとしてみられてよい。
【０１５５】
本実施形態において共存を成功させるために、第１のＷＢＡＮの動作期間は、第２のＷＢＡＮの非アクティブ期間に収まらなければならず、第２のＷＢＡＮの運転期間は、第１のＷＢＡＮの非アクティブ期間に収まらなければならない。
【０１５６】
従って、本実施形態のためのＷＢＡＮが共存できるかどうかを評価するステップＳ１００は、
Ｔ1（ＷＢＡＮ１）＞ＴA（ＷＢＡＮ２）＋ＴB＋Ｔoffset
および
Ｔ1（ＷＢＡＮ２）＞ＴA（ＷＢＡＮ１）＋ＴB＋Ｔoffset
ことをチェックすることを備え、動作期間は、ＴA（ＷＢＡＮX）＋ＴB＋Ｔoffsetであってよい。
【０１５７】
他の実施形態では、上記の不等式は、「等しいまたは大きい」記号と置き換えられてよい。
【０１５８】
図２は、本実施形態により上記の決定の結果に応じて行われるステップを示す。上記の不等式のうちの１つが真でない場合、ＷＢＡＮは、１つのＷＢＡＮの動作期間が他のＷＢＡＮの非アクティブ期間には長すぎるので、共存に適していない。これは、２つのＷＢＡＮのスーパーフレームが異なる長さであるとき、または単に１つまたは両方のＷＢＡＮのデューティサイクルが大きすぎるので、当てはまることがある。そのような場合、より小さいＲＩ値を有するＷＢＡＮはチャネルを切り換えるＳ１１０およびＳ１２０。従って、そのワイヤレス通信挙動が変更される。どちらのＷＢＡＮがそのワイヤレス通信挙動を保持するべきか、およびどちらのＷＢＡＮがそのスーパーフレームのパラメータを変更するべきか、またはチャネルを切り換えるべきかは、決定およびＲＩ値の比較により、すでに明確であるので、本開示による実施形態では、命令および情報が、より容易に、効率的に、および明確に通信される。
【０１５９】
上記の不等式の両方が真である場合、ＷＢＡＮは共存に適していることがある。次のステップは、そのワイヤレス通信挙動を保持する（より高いＲＩ値を有する）ＷＢＡＮが、そのアクティブ期間、オフセット期間、並びにその非アクティブ期間の開始および終了に関する明確な情報を明確に提供することであるＳ１４０。どちらのＷＢＡＮがそのワイヤレス通信挙動を保持するべきか、およびどちらのＷＢＡＮがそのワイヤレス通信挙動を変更するべきか、またはチャネルを切り換えるべきかは、決定およびＲＩ値の比較により、すでに明確であるので、本開示による実施形態では、命令および情報が、より容易に、効率的に、および明確に通信可能である。そのワイヤレス通信挙動を変更するべきＷＢＡＮは、そのスーパーフレームのパラメータを変更し（例えば、そのアクティブ期間をシフトし）、次いで、その新しいスーパーフレームおよびアクティブ期間に関する情報を、そのワイヤレス通信挙動を保持したＷＢＡＮに確認のために提供するＳ１４０。そのワイヤレス通信挙動を保持するＷＢＡＮは、これを検証し、オフセットが行われたかどうかを確認するＳ１５０。このステップは、共存が正常に完了するＳ１７０まで反復的に行われるＳ１６０。
【０１６０】
図８および図９は、一実施形態によるワイヤレス通信挙動適合を示す。図８は、同じ周波数チャネル上で動作し、重複領域中で干渉する２つのＷＢＡＮすなわちＷＢＡＮ１およびＷＢＡＮ２を示す。図９は、本実施形態による共存プロセスが完了した後の同じＷＢＡＮを示す。ＷＢＡＮ２のスーパーフレームがシフトされたことがわかる。従って、ＷＢＡＮ２のアクティブ期間は、ＷＢＡＮ１の非アクティブ期間と一致する。
【０１６１】
図１０は、センサノード５０またはセンサノードの一部を示す。センサノード５０は、オンボディデバイスであってよい。図１０のセンサノードは、ハブとの通信を協調させるためのプロセッサ５４と、装着者または環境の特定の特性例えば温度を測定するためのセンサ５２と、ハブと通信するためのワイヤレスネットワークインターフェース５６とを備える。ワイヤレスネットワークインターフェース５６はアンテナ５８を備える。
【０１６２】
図１１は、ハブ６０またはハブの一部を示す。図１１のハブ６０は、センサノードとの通信を協調させるためのプロセッサ６２と、センサノードと通信するためのワイヤレスネットワークインターフェース６４とを備える。ワイヤレスネットワークインターフェース６４はアンテナ６６を備えてよい。プロセッサ６２は、第２のＷＢＡＮの保持指数をハブのＷＢＡＮの保持指数と比較し、ハブのＷＢＡＮの保持指数が第２のＷＢＡＮの保持指数よりも小さい場合、ハブのＷＢＡＮのワイヤレス通信挙動を変更するように動作可能である。アンテナ６６は、ハブ６０と同じ周波数チャネル上で動作する第２のＷＢＡＮの保持指数を受信するように動作可能である。
【０１６３】
図１２は、一実施形態によるＷＢＡＮのハブによって用いられる流れ図を示す。図１２の流れ図は、第２のＷＢＡＮに干渉するとき第１のＷＢＡＮによって試みられるプロセスを示す。
【０１６４】
図３に関して説明されるように、協調プロセスが開始されるＳ２００。次いで、第１のＷＢＡＮのハブが、第１のＷＢＡＮに対する保持指数を計算しＳ２１０、このＲＩ値を第２のＷＢＡＮのＲＩ値と交換してＳ２２０、２つのＲＩを比較するＳ２３０。これは、第１のＷＢＡＮがそのＲＩ値を第２のＷＢＡＮに送り、第２のＷＢＡＮのＲＩ値を受信することを含んでよく、第１のＷＢＡＮが、そのワイヤレス通信挙動を保持するべきか変更するべきかどうかを決定するＳ２４０ことを可能にする。このプロセスは、上記で説明された。次いで、スーパーフレーム期間が交換されＳ２５０、第１のＷＢＡＮは、そのスーパーフレーム期間およびアクティブ期間に関する情報を第２のＷＢＡＮに送り、同等の情報を第２のＷＢＡＮから受信する。次いで、このことが、第１のＷＢＡＮが、共存が可能であるかどうかを決定するＳ２６０ことを可能にする。この決定は、上記で説明されたように行われてよい。
【０１６５】
第１のＷＢＡＮのＲＩ値が第２のＷＢＡＮのＲＩ値よりも大きい場合、第１のＷＢＡＮはそのワイヤレス通信挙動を維持するＳ２７０。このステップは、第１のＷＢＡＮが、第２のＷＢＡＮのワイヤレス挙動が変更されたかどうかを決定するＳ２８０ことによって続かれる。このステップは、取り決めに従って協調が行われたことを検証するフィードバック機構を提供する。
【０１６６】
第１のＷＢＡＮのＲＩ値が第２のＷＢＡＮのＲＩ値よりも小さく、共存が可能な場合、第１のＷＢＡＮは、上記で説明されたように、スーパーフレームパラメータを変更するＳ２９０。このステップは、第１のＷＢＡＮが、そのワイヤレス挙動が正常に変更されたかどうかを決定するＳ３００ことによって続かれる。このことは、第１のＷＢＡＮが、スーパーフレームパラメータが変更されたという確認を第２のＷＢＡＮに送ること、またはその新しいスーパーフレームパラメータに関する情報を第２のＷＢＡＮに送ることを含んでよい。このステップは、取り決めに従って協調が行われたことを検証するフィードバック機構を提供する。
【０１６７】
第１のＷＢＡＮのＲＩ値が第２のＷＢＡＮのＲＩ値よりも小さく、共存が可能でない場合、第１のＷＢＡＮは、送信を中止し、新しい周波数チャネルをスキャンするＳ３１０。
【０１６８】
本開示に適合するＷＢＡＮは、任意の数のセンサノード、例えばオンボディデバイスを備えてよい。本方法とともに使用するのに適したＷＢＡＮは、１つ、２つ、３つ、４つ、５つ、または６つ以上のセンサノードを備えてよい。ＷＢＡＮは、１１以上、１６以上、または２１以上のセンサノードを備えてよい。
【０１６９】
ＲＩ値計算に関して考慮に入れられ得る特性は、ＷＢＡＮに関連するセンサノードの数、その適用要件、および／またはＷＢＡＮのデューティサイクルであってよい。例えば、０．７スーパーフレームの基準化されたデューティサイクルを持つ１２の異なるオンボディデバイスを有するＷＢＡＮと０．１スーパーフレームの基準化されたデューティサイクルを持つ単一のオンボディデバイスを有するＷＢＡＮは、「等しい」と考えられない可能性がある。従って、ＷＢＡＮは、どのようにしてワイヤレス通信挙動が共存のために変更されるべきかを考えると、現在のワイヤレス通信挙動を維持するために等しい権利を有すると考えられない可能性がある。
【０１７０】
本開示による他の実施形態では、ＲＩは、ＷＢＡＮのさまざまな特性を反映するように計算され得る。例えば、ＲＩは、スーパーフレーム長に依存するように計算されてもよいし、特定のタイプのセンサノードのみに依存するように計算されてもよい。
【０１７１】
ＲＩ値は、ユーザが定義可能な指数であってよく、その定義または計算は、ＷＢＡＮの重要性すなわち「そのままである権利」を定量化するように調整可能である。ＲＩ値を取得するために使用される定義は、ＷＢＡＮのタイプ、使用されるオンボディデバイスまたはセンサノード、並びにＷＢＡＮが設置される位置に応じて変化してよい。
【０１７２】
特殊な場合が、優先権または緊急センサノードのために存在することがある。上記で説明された定義は一般に、全てのセンサノードが等しい優先権を有すると仮定する。しかしながら、特定のセンサノードが他のものよりも高い優先権すなわち重要性を有するべきであることがあり得る。例えば、おそらく、特定の生化学的センサは、患者の健康にとって、温度センサよりも重大であると思われ、その場合、重み付けは、生化学的センサの重要性を強調するために導入され得る。重み付けは、優先権の高いセンサノードを有するＷＢＡＮがワイヤレス通信挙動を維持することを保証する助けとなるために導入可能である。重み付けは、各タイプのノードに０と１の間の小数を乗じることによって実施されてよく、値が大きいほど、優先権が高いことを示す。ＲＩ定義は、特定の重み付けがその中に組み込まれるように設定されてもよいし、特定のセンサノードのみが考えられるように設定されてもよい。
【０１７３】
いくつかの実施形態では、特定のＷＢＡＮが、そのワイヤレス通信挙動を維持するための権利を、ＷＢＡＮの特性のみにより通常であればそれに与えられるであろうよりも多く要求することが当てはまることがある。例えば、患者が、健康に与えられるリスクを増加させる特定の条件を有することがあるが、これは、患者が比較的「低ＲＩ」タイプのＷＢＡＮを有するが、条件の重大度は、そのワイヤレス通信挙動を維持する権利をより多く有するべきであることを意味することを意味する。そのような重み付けは、ＲＩ値に組み込まれてよい。
【０１７４】
上記の重み付けは、ＲＩ値の計算の考慮に入れられてもよいし、低いＲＩ値が計算される別の「レベル」として実施されてもよいが、重み付けは、その後、上記で説明された任意の状況の考慮に入れるために適用される。
【０１７５】
ＲＩ計算または定義は、ユーザによって決定され得る。ユーザは、使用中にＲＩ定義を再定義する、変更する、または変えることが可能であってよい。
【０１７６】
ＲＩ値計算ステップは、本方法のあらかじめ定義されたプロセスまたはサブプロセスであってよい。ＲＩ値は、ＲＩ値交換ステップおよび比較ステップに先行する任意の時点で計算されてよい。ＲＩ値は、ＲＩ値交換ステップおよび比較ステップ中に計算されてもよい。ＲＩ値は、共存協調方法が開始する前に計算されてもよい。ＲＩ値は、ＷＢＡＮの特徴としてあらかじめプログラムされてよく、従って、図２の方法は、ＲＩ値を計算するステップを含まなくてもよく、この方法は単にＲＩ値交換ステップを備えてよく、ＲＩ値は、あらかじめ知られている。
【０１７７】
本開示全体を通じて、ＷＢＡＮ１およびＷＢＡＮ２は、２つのＷＢＡＮに与えられた一般的な名称であり、各プロセスステップまたはサブプロセスステップにおいて、ＷＢＡＮ１およびＷＢＡＮ２はほとんど、どちらかのＷＢＡＮを指すために同義で使用できることが理解されるべきである。従って、特定のハブまたはＷＢＡＮがプロセスステップを開始すると考えられる場合、どちらかのＷＢＡＮまたは任意のＷＢＡＮは、以前にＷＢＡＮ１、ＷＢＡＮ２、または異なるようにラベルが付与されているかどうかにかかわらず、任意のプロセスステップを開始できることが理解されるべきである。
【０１７８】
上記の説明はＷＢＡＮに関するが、当業者には理解されるように、上記の方法は類似のワイヤレスネットワークシステムに等しく適用され得ることが理解されるべきである。
【０１７９】
特定の実施形態が概略的に示される。読者は、各実施形態の詳細な実装形態はいくつかの手段で達成可能であることを諒解するであろう。例えば、専用ハードウェア実装形態が設計および構築されてよい。一方、プロセッサは、記憶媒体（例えば、磁気デバイス、光デバイス、またはソリッドステートメモリベースのデバイス）として、またはコンピュータ受信可能信号（例えば、プログラム全体または既存プログラムの「パッチ」最新版のダウンロード）としてのどちらかで、上記で実施形態に関連して説明された方法を実施するために配信されるなどのコンピュータプログラムとともに構成可能である。これらの２つのポジションの他に、ＤＳＰ、ＦＰＧＡなどの多機能ハードウェアデバイスが、構成命令によって構成可能である。
【０１８０】
特定の実施形態が説明されてきたが、これらの実施形態は、単に例として示されており、本発明の範囲を制限することを意図したものではない。実際、本明細書において説明される新規な方法および装置は、さまざまな他の形態で実施され得る。そのうえ、本明細書において説明される方法および装置の形態におけるさまざまな省略、置き換え、および変更は、本発明の趣旨から逸脱することなくなされ得る。添付の特許請求の範囲およびその等価物は、本発明の範囲および趣旨に含まれるそのような形態または修正形態を包含することを意図したものである。
【図１Ａ】
2017526269.tif 000022
【図１Ｂ】
2017526269.tif 000023
【図２】
2017526269.tif 000024
【図３】
2017526269.tif 000025
【図４Ａ】
2017526269.tif 000026
【図４Ｂ】
2017526269.tif 000027
【図５】
2017526269.tif 000028
【図６】
2017526269.tif 000029
【図７】
2017526269.tif 000030
【図８】
2017526269.tif 000031
【図９】
2017526269.tif 000032
【図１０】
2017526269.tif 000033
【図１１】
2017526269.tif 000034
【図１２】
2017526269.tif 000035
【国際調査報告】
2017526269.tif 000036
2017526269.tif 000037
2017526269.tif 000038